(57)【要約】      （修正有）【課題】防水機能に優れたソーラーモジュール装置を提供する。【解決手段】ソーラーパネルユニット１を保持するフレームユニット２と、フレームユニットに配置されている防水手段３とを備える。フレームユニットは、取付け溝がある第１のフレーム枠２１と、第１のドッキング部２２２がある第２のフレーム枠２２と、第１のドッキング部と接続できる第２のドッキング部２３２がある第３のフレーム枠２３と、取付け溝に挿し込める取付け突起がある第４のフレーム枠２４と、を有する。防水手段は、第１のフレーム枠の上面において突起し、第１のフレーム枠が第４のフレーム枠と連結する際、第４のフレーム枠に当接できる第１の防水ストリップ３１と、各フレーム枠に形成された保持溝にそれぞれ嵌め込まれている複数の第２の防水ストリップと、を有する。【選択図】図１
0003198955.tif 000002
【実用新案登録請求の範囲】
【請求項１】
平行四辺形に形成されたソーラーパネルユニットと、前記ソーラーパネルユニットを周りから保持しているフレームユニットと、前記フレームユニットに配置されている防水手段と、を備えたソーラーモジュール装置であって、
前記フレームユニットは、
前記ソーラーパネルユニットの一端部の周縁に沿って延伸し、前記ソーラーパネルユニットの対応の端部を外から受け入れて保持する第１の保持溝が形成されていると共に、該第１の保持溝が形成されている側の反対側において開口する取付け溝が形成されている第１のフレーム枠と、
前記第１のフレーム枠が延伸する２つの端部における１つの端部から前記第１のフレーム枠と所定の角度を成して延伸し、前記ソーラーパネルユニットの対応の端部を外から受け入れて保持する第２の保持溝が形成されていると共に、該第２の保持溝が形成されている側の反対側に第１のドッキング部が形成されている第２のフレーム枠と、
前記第１のフレーム枠が延伸する２つの端部における前記１つの端部の反対側にある他の１つの端部から前記第２のフレーム枠と平行するように延伸し、前記ソーラーパネルユニットの対応の端部を外から受け入れて保持する第３の保持溝が形成されていると共に、該第３の保持溝が形成されている側の反対側に、他の１つの前記ソーラーモジュール装置が備えたフレームユニットにおける前記第２のフレーム枠に形成された前記第１のドッキング部と接続することができる第２のドッキング部が形成されている第３のフレーム枠と、
両端が前記第２のフレーム枠及び前記第３のフレーム枠それぞれの前記第１のフレーム枠から離れた端部に接し、前記第１のフレーム枠と平行するように延伸すると共に、前記ソーラーパネルユニットの対応の端部を外から受け入れて保持する第４の保持溝が形成され、且つ、該第４の保持溝が形成されている側の反対側に、他の１つの前記ソーラーモジュール装置が備えたフレームユニットにおける前記第１のフレーム枠に形成された前記取付け溝に挿し込むことができる取付け突起が形成されている第４のフレーム枠と、を有し、
前記防水手段は、
前記第１のフレーム枠の上面において突起し且つ該第１のフレーム枠の延伸方向に沿って延伸するように配置形成されており、該第１のフレーム枠に形成された前記取付け溝が他の１つの前記ソーラーモジュール装置が備えたフレームユニットにおける前記第４のフレーム枠に形成された前記取付け突起を受け入れて該第４のフレーム枠と連結する際、該第４のフレーム枠に当接することにより、互いに連結する該第１のフレーム枠と該第４のフレーム枠との間にある隙間を塞いで水の通過を阻止することができる第１の防水ストリップと、
前記第１のフレーム枠と前記第２のフレーム枠と前記第３のフレーム枠と前記第４のフレーム枠にそれぞれ形成された前記第１の保持溝と前記第２の保持溝と前記第３の保持溝と前記第４の保持溝との中にそれぞれ嵌め込まれており、前記第１の保持溝と前記第２の保持溝と前記第３の保持溝と前記第４の保持溝とが前記ソーラーパネルユニットの対応の端部を外から受け入れて保持する際に圧縮されて、前記ソーラーパネルユニットと前記フレームユニットとの間にある隙間に水が侵入することを阻止することができる複数の第２の防水ストリップと、
を有することを特徴とするソーラーモジュール装置。
【請求項２】
屋根において横方向に延伸する桁に固定されることができると共に、前記フレームユニットを保持することができる固定手段を更に備えていることを特徴とする請求項１に記載のソーラーモジュール装置。
【請求項３】
前記固定手段は、複数の固定ユニットを有し、各固定ユニットはそれぞれ、
屋根において横方向に延伸する桁に固定されることができる固定部と、
前記固定部から上方へ突起すると共に、前記横方向と平行するように延伸する延伸壁と、
前記延伸壁の一側面から突起し、前記フレームユニットが有する前記第１のフレーム枠の下面に当接して前記第１のフレーム枠を支持することができる保持板と、
前記保持板の上方に位置するように前記延伸壁の前記一側面から突起し、前記保持板が前記第１のフレーム枠の下面に当接して支持する際、該第１のフレーム枠に形成された前記取付け溝に挿し込まれることができる挿入板と、
を有するように形成されていることを特徴とする請求項２に記載のソーラーモジュール装置。
【請求項４】
前記固定手段は、各固定ユニットにそれぞれ対応する固定ボルトを更に有し、
各前記固定ボルトは、対応の前記固定ユニットが有する前記固定部と前記保持板と前記挿入板及び該固定ユニットの前記保持板が保持する前記第１のフレーム枠を上から挿通してから該固定ユニットの前記固定部が固定されている前記桁にねじ込まれることにより、前記固定手段及び前記フレームユニットを屋根に固定することができるように構成されていることを特徴とする請求項３に記載のソーラーモジュール装置。
【請求項５】
前記第２のフレーム枠に形成された前記第１のドッキング部には、上方に向かって開口する受け入れ溝が該第２のフレーム枠の延伸方向に沿って形成されており、
前記第３のフレーム枠に形成された前記第２のドッキング部には、下方へ突起して、他の１つの前記ソーラーモジュール装置が備えたフレームユニットにおける前記第２のフレーム枠の前記第１のドッキング部に形成された前記受け入れ溝に挿し込むことができるドッキング突起が該第３のフレーム枠の延伸方向に沿って形成されていることを特徴とする請求項１に記載のソーラーモジュール装置。
【請求項６】
前記第４のフレーム枠には、互いに間を空けて形成された２つの前記取付け突起が形成されており、該２つの前記取付け突起がそれぞれ１つの他の１つの前記ソーラーモジュール装置が備えたフレームユニットにおける前記第１のフレーム枠に形成された前記取付け溝に挿し込まれることによって、該第４のフレーム枠を２つのフレームユニットと連結することができるように構成されていることを特徴とする請求項１に記載のソーラーモジュール装置。
【請求項７】
前記防水手段が有する前記第１の防水ストリップは、前記第１のフレーム枠の上面において突起し且つ該第１のフレーム枠の延伸方向に沿って延伸するストリップ本体と、該ストリップ本体の該第１のフレーム枠の延伸方向と平行する２つの端縁からそれぞれ上方に突起してから第４のフレーム枠側へ曲がる２つの湾曲部と、該ストリップ本体の中央近くから突起し、且つ該第１のフレーム枠の延伸方向と平行に延伸する突起部とを有するように形成されていると共に、
該第１のフレーム枠に形成された前記取付け溝が他の１つの前記ソーラーモジュール装置が備えたフレームユニットにおける前記第４のフレーム枠に形成された前記取付け突起を受け入れて該第４のフレーム枠と連結する際、２つの前記湾曲部がそれぞれ該第４のフレーム枠に当接すると共に、２つの前記湾曲部における外側寄りの１つの前記湾曲部の先端が前記突起部に当接することができるように構成されていることを特徴とする請求項１に記載のソーラーモジュール装置。
【考案の詳細な説明】
【技術分野】
【０００１】
本考案は、ソーラーモジュール装置に関し、特に防水機能に優れ且つ各種の屋根に合わせて設置されることができるソーラーモジュール装置に関する。
【背景技術】
【０００２】
太陽電池モジュールとも称されるソーラーモジュールは、屋根に設置される場合が多く、そして屋根に設置されるソーラーモジュールは屋根の上で風雨に晒される時間も長いため、雨などの水分がパネルの内部に進入すると発電機能や蓄電機能が損なわれるので、その防水機能の良否は特に重要視される。
【０００３】
また、屋根の形状は地域や文化によって異なるので、各種の屋根に合わせて設置できる設置可能性の高さも重要である。
【考案の概要】
【考案が解決しようとする課題】
【０００４】
本考案は、防水機能に優れ且つ各種の屋根に合わせて設置することができるソーラーモジュール装置の提供を目的とする。
【課題を解決するための手段】
【０００５】
上記目的を達成する手段として、本考案は、平行四辺形に形成されたソーラーパネルユニットと、前記ソーラーパネルユニットを周りから保持しているフレームユニットと、前記フレームユニットに配置されている防水手段と、を備えたソーラーモジュール装置であって、前記フレームユニットは、前記ソーラーパネルユニットの一端部の周縁に沿って延伸し、前記ソーラーパネルユニットの対応の端部を外から受け入れて保持する第１の保持溝が形成されていると共に、該第１の保持溝が形成されている側の反対側において開口する取付け溝が形成されている第１のフレーム枠と、前記第１のフレーム枠が延伸する２つの端部における１つの端部から前記第１のフレーム枠と所定の角度を成して延伸し、前記ソーラーパネルユニットの対応の端部を外から受け入れて保持する第２の保持溝が形成されていると共に、該第２の保持溝が形成されている側の反対側に第１のドッキング部が形成されている第２のフレーム枠と、前記第１のフレーム枠が延伸する２つの端部における前記１つの端部の反対側にある他の１つの端部から前記第２のフレーム枠と平行するように延伸し、前記ソーラーパネルユニットの対応の端部を外から受け入れて保持する第３の保持溝が形成されていると共に、該第３の保持溝が形成されている側の反対側に、他の１つの前記ソーラーモジュール装置が備えたフレームユニットにおける前記第２のフレーム枠に形成された前記第１のドッキング部と接続することができる第２のドッキング部が形成されている第３のフレーム枠と、両端が前記第２のフレーム枠及び前記第３のフレーム枠それぞれの前記第１のフレーム枠から離れた端部に接し、前記第１のフレーム枠と平行するように延伸すると共に、前記ソーラーパネルユニットの対応の端部を外から受け入れて保持する第４の保持溝が形成され、且つ、該第４の保持溝が形成されている側の反対側に、他の１つの前記ソーラーモジュール装置が備えたフレームユニットにおける前記第１のフレーム枠に形成された前記取付け溝に挿し込むことができる取付け突起が形成されている第４のフレーム枠と、を有し、前記防水手段は、前記第１のフレーム枠の上面において突起し且つ該第１のフレーム枠の延伸方向に沿って延伸するように配置形成され、該第１のフレーム枠に形成された前記取付け溝が他の１つの前記ソーラーモジュール装置が備えたフレームユニットにおける前記第４のフレーム枠に形成された前記取付け突起を受け入れて該第４のフレーム枠と連結する際、該第４のフレーム枠に当接することにより、互いに連結する該第１のフレーム枠と該第４のフレーム枠との間にある隙間を塞いで水の通過を阻止することができる第１の防水ストリップと、前記第１のフレーム枠と前記第２のフレーム枠と前記第３のフレーム枠と前記第４のフレーム枠にそれぞれ形成された前記第１の保持溝と前記第２の保持溝と前記第３の保持溝と前記第４の保持溝との中にそれぞれ嵌め込まれ、前記第１の保持溝と前記第２の保持溝と前記第３の保持溝と前記第４の保持溝とが前記ソーラーパネルユニットの対応の端部を外から受け入れて保持する際に圧縮されて、水が前記ソーラーパネルユニットと前記フレームユニットとの間にある隙間に侵入することを阻止することができる複数の第２の防水ストリップと、を有することを特徴とするソーラーモジュール装置を提供する。
【考案の効果】
【０００６】
上記構成によれば、本考案のソーラーモジュール装置は、防水手段が有する第１の防水ストリップで水が各フレームユニット間にある隙間に侵入することを阻止することができると共に、ソーラーパネルユニットを保持する各保持溝内に配置される第２の防水ストリップで水がソーラーパネルユニットとフレームユニットとの間にある隙間に侵入することを阻止することができるので優れた防水機能を有し、且つ第１のフレーム枠に形成される取付け溝と、第４のフレーム枠に形成される取付け突起とによる縦方向での連結と、第２のフレーム枠に形成される第１のドッキング部と第３のフレーム枠に形成される第２のドッキング部とによる横方向での連結とが可能であるので、各種の屋根に合わせて設置されることもできる。
【図面の簡単な説明】
【０００７】
【図１】本考案のソーラーモジュール装置の第１の実施形態の構成が示されている斜視図。
【図２】本考案のソーラーモジュール装置の第１の実施形態が屋根に取付けられている状態が示されている斜視図。
【図３】本考案のソーラーモジュール装置の第１の実施形態が備えたフレームユニットの構成が示されている斜視図。
【図４】本考案のソーラーモジュール装置の第１の実施形態が備えたフレームユニットに形成された第１のドッキング部の構成が示されている一部拡大斜視図。
【図５】本考案のソーラーモジュール装置の第１の実施形態が備えたフレームユニットに形成された第２のドッキング部の構成が示されている一部拡大斜視図。
【図６】本考案のソーラーモジュール装置の第１の実施形態が備えたフレームユニットに形成された第１のドッキング部及び第２のドッキング部が互いにドッキングする様子が示されている一部拡大斜視図。
【図７】本考案のソーラーモジュール装置の第１の実施形態が備えたフレームユニットに形成された取付け溝内に取付け突起が挿し込まれている様子が示されている一部断面拡大斜視図。
【図８】複数の本考案のソーラーモジュール装置の第１の実施形態が屋根において互いに組み合わされている様子が示されている上面図。
【図９】本考案のソーラーモジュール装置の第１の実施形態が備えた防水手段が有する第１の防水ストリップと第２の防水ストリップとの構成及び設置箇所が示されている一部拡大斜視図。
【図１０】本考案のソーラーモジュール装置の第１の実施形態が備えた防水手段が有する第１の防水ストリップの構成及び役割が示されている説明図。
【図１１】本考案のソーラーモジュール装置の第１の実施形態が備えた固定手段の構成及び設置箇所が示されている一部拡大斜視図。
【図１２】本考案のソーラーモジュール装置の第２の実施形態が備えたフレームユニットの構成が示されている斜視図。
【図１３】本考案のソーラーモジュール装置の第２の実施形態が備えたフレームユニットに形成された第１のドッキング部及び第２のドッキング部が互いにドッキングしながら、２つのフレームユニットにそれぞれ形成された取付け溝内に、同一のフレームユニットに形成された２つの取付け突起が挿し込まれている様子が示されている一部拡大斜視図。
【図１４】複数の本考案のソーラーモジュール装置の第２の実施形態が屋根において互いに組み合わされている様子が示されている上面図。
【考案を実施するための形態】
【０００８】
以下は各図面に参照しながら本考案のソーラーモジュール装置の構成及び各好ましい実施形態について詳しく説明する。
【０００９】
図１〜図１１に本考案のソーラーモジュール装置の第１の好ましい実施形態の構成が示されており、図１及び図２に示されているように、本考案のソーラーモジュール装置の第１の好ましい実施形態は、周縁が平行四辺形に形成されたソーラーパネルユニット１と、該ソーラーパネルユニット１を周縁から保持するフレームユニット２と、フレームユニット２に配置されている防水手段３と、屋根５において横方向に延伸する桁５１に固定されることができると共に、フレームユニット２を保持することができる固定手段４と、を備えている。
【００１０】
ソーラーパネルユニット１としては、日照を受けて稼動し、太陽光のエネルギーを電力に変換する太陽電池セルを複数有するパネル状ソーラーモジュールが用いられる。また、この実施形態におけるソーラーパネルユニット１は、矩形に形成されている。
【００１１】
図３に示されているように、フレームユニット２は、第１のフレーム枠２１と、第２のフレーム枠２２と、第３のフレーム枠２３と、第４のフレーム枠２４とを有し、該第１のフレーム枠２１と、第２のフレーム枠２２と、第３のフレーム枠２３と、第４のフレーム枠２４とで、矩形に形成されたソーラーパネルユニット１を周縁の４方向から囲みながら保持するものである。
【００１２】
第１のフレーム枠２１は、ソーラーパネルユニット１の一端部の周縁に沿って延伸し、ソーラーパネルユニット１の対応の端部を外から受け入れて保持する第１の保持溝２１１が形成されていると共に、該第１の保持溝２１１が形成されている側の反対側において開口する取付け溝２１２が形成されている。
【００１３】
第２のフレーム枠２２は、第１のフレーム枠２１が延伸する２つの端部における１つの端部（この実施形態では図１における右側の端部）から第１のフレーム枠２１と所定の角度（この実施形態では直角）を成して延伸し、ソーラーパネルユニット１の対応の端部を外から受け入れて保持する第２の保持溝２２１が形成されていると共に、該第２の保持溝２２１が形成されている側の反対側に第１のドッキング部２２２が形成されている。
【００１４】
図４に示されているように、この実施形態において、第２のフレーム枠２２に形成された第１のドッキング部２２２には、上方に向かって開口する受け入れ溝２２３と排水溝２２４とが互いに並列して該第２のフレーム枠２２の延伸方向に沿って形成されている。
【００１５】
第３のフレーム枠２３は、第１のフレーム枠２１が延伸する２つの端部における前記１つの端部の反対側にある他の１つの端部（この実施形態では図１における左側の端部）から第２のフレーム枠２２と平行するように延伸し、ソーラーパネルユニット１の対応の端部を外から受け入れて保持する第３の保持溝２３１が形成されていると共に、該第３の保持溝２３１が形成されている側の反対側に、他の１つのソーラーモジュール装置が備えたフレームユニット２における第２のフレーム枠２２に形成された第１のドッキング部２２２と接続することができる第２のドッキング部２３２が形成されている。
【００１６】
図５に示されているように、この実施形態において、第３のフレーム枠２３に形成された第２のドッキング部２３２には、下方へ突起して、他の１つのソーラーモジュール装置が備えたフレームユニット２における第２のフレーム枠２２の第１のドッキング部２２２に形成された受け入れ溝２２３に挿し込むことができるドッキング突起２３３が該第３のフレーム枠２３の延伸方向に沿って形成されている。
【００１７】
第２のフレーム枠２２に形成された第１のドッキング部２２２と第３のフレーム枠２３に形成された第２のドッキング部２３２とをこのように構成することによって、第１のドッキング部２２２と第２のドッキング部２３２とは図６に示されているように、第２のドッキング部２３２に形成されるドッキング突起２３３を他の１つのソーラーモジュール装置が備えたフレームユニット２における第２のフレーム枠２２の第１のドッキング部２２２に形成された受け入れ溝２２３に挿し込むことによって該２つのソーラーモジュール装置を横方向で連結すると共に、第１のドッキング部２２２に形成されている排水溝２２４で排出しようとする雨水などを案内することができる。
【００１８】
第４のフレーム枠２４は、両端が第２のフレーム枠２２及び第３のフレーム枠２３それぞれの第１のフレーム枠２１から離れた端部に接し、第１のフレーム枠２１と平行するように延伸すると共に、ソーラーパネルユニット１の対応の端部を外から受け入れて保持する第４の保持溝２４１が形成され、且つ、該第４の保持溝２４１が形成されている側の反対側に、他の１つのソーラーモジュール装置が備えたフレームユニット２における第１のフレーム枠２１に形成された取付け溝２１２に挿し込むことができる取付け突起２４２が形成されている。ちなみに、図７に示されているように、この実施形態における取付け突起２４２は、対応の第４のフレーム枠２４から下方に延伸してから第４の保持溝２４１が形成されている側の反対側へ曲がって突出するように形成されている。
【００１９】
更に、図７に示されているように、この実施形態において、第１のフレーム枠２１及び第４のフレーム枠２４それぞれの第２のフレーム枠２２及び第３のフレーム枠２３と連結する箇所には、Ｌ字形に形成された強化材８（図７は断面であるためそのＬ字形の一部の断面しか示されていない）が取付けられており、このように複数の強化材８を備えることにより、フレームユニット２全体の強度を高めることができる。
【００２０】
このように、第１のフレーム枠２１に形成された取付け溝２１２と、第４のフレーム枠２４に形成された取付け突起２４２とを有することにより、１つのソーラーモジュール装置が備えたフレームユニット２における第４のフレーム枠２４に形成された取付け突起２４２が他の１つのソーラーモジュール装置が備えたフレームユニット２における第１のフレーム枠２１に形成された取付け溝２１２内に挿し込まれることによって、該２つのソーラーモジュール装置を縦方向に連結することができる。
【００２１】
更に、図８に示されているように、第１のドッキング部２２２及び第２のドッキング部２３２を用いて複数のソーラーモジュール装置を横方向に連結すると共に、互いに対応しあう取付け突起２４２及び取付け溝２１２を用いて複数のソーラーモジュール装置を縦方向に連結することによって、複数のソーラーモジュール装置がそれぞれ有するフレームユニット２を一体に連結して屋根５に配置することができる。
【００２２】
この実施形態において、防水手段３は、第１の防水ストリップ３１と、複数の第２の防水ストリップ３２とを有している。
【００２３】
第１の防水ストリップ３１は、第１のフレーム枠２１の上面において突起し且つ該第１のフレーム枠２１の延伸方向に沿って延伸するように配置形成されている。該第１のフレーム枠２１に形成された取付け溝２１２が他の１つのソーラーモジュール装置が備えたフレームユニット２における第４のフレーム枠２４に形成された取付け突起２４２を受け入れて該第４のフレーム枠２４と連結する際、第１のフレーム枠２１の上面において突起する第１の防水ストリップ３１は、該第４のフレーム枠２４に当接することにより、互いに連結する該第１のフレーム枠２１と該第４のフレーム枠２４との間にある隙間を塞いで水の通過を阻止することができる。
【００２４】
更に、図９及び図１０に示されているように、この実施形態における第１の防水ストリップ３１は、第１のフレーム枠２１の上面において突起し且つ該第１のフレーム枠２１の延伸方向に沿って延伸するストリップ本体３１１と、該ストリップ本体３１１の該第１のフレーム枠２１の延伸方向と平行する２つの端縁からそれぞれ上方に突起してから該第１のフレーム枠２１と同一のフレームユニット２に属する第４のフレーム枠２４側へ曲がる２つの湾曲部３１２と、該ストリップ本体３１１の中央近くから突起し、且つ該第１のフレーム枠３１の延伸方向と平行に延伸する突起部３１３とを有するように形成されていると共に、該第１のフレーム枠２１に形成された取付け溝２１２が図１０に示されているように他の１つのソーラーモジュール装置が備えたフレームユニット２における第４のフレーム枠２４に形成された取付け突起２４２を受け入れて該第４のフレーム枠２４と連結する際、２つの湾曲部３１２がそれぞれ該第４のフレーム枠２４に当接すると共に、２つの湾曲部３１２における外側寄り（図１０においては左側寄り）の１つの湾曲部３１２の先端が突起部３１３に当接するように構成されている。
【００２５】
このように、第１の防水ストリップ３１をストリップ本体３１１と、２つの湾曲部３１２と、突起部３１３とを有するように形成することにより、第１の防水ストリップ３１と第４のフレーム枠２４との間にある隙間は、図１０においては右側寄りの湾曲部３１２と、左側寄りの湾曲部３１２の突起部３１３に当接する先端部分と、左側寄りの湾曲部３１２のストリップ本体３１１と連続する基端部分とからなる３重構成により塞がれるので、第１の防水ストリップ３１の防水機能をより一層強化することができる。
【００２６】
また、防水手段３が有する各第２の防水ストリップ３２は、第１のフレーム枠２１と第２のフレーム枠２２と第３のフレーム枠２３と第４のフレーム枠２４にそれぞれ形成された第１の保持溝２１１と第２の保持溝２２１と第３の保持溝２３１と第４の保持溝２４１との中にそれぞれ嵌め込まれており、第１の保持溝２１１と第２の保持溝２２１と第３の保持溝２３１と第４の保持溝２４１とがソーラーパネルユニット１の対応の端部を受け入れて保持する際、それらの保持溝内に嵌め込まれた各第２の防水ストリップ３２はソーラーパネルユニット１により圧縮されると共に、ソーラーパネルユニット１とフレームユニット２（第１のフレーム枠２１と第２のフレーム枠２２と第３のフレーム枠２３と第４のフレーム枠２４）との間にある隙間を塞いで水がそれらの隙間に侵入することを阻止することができる。
【００２７】
フレームユニット２を屋根５において横方向に延伸する桁５１に固定する固定手段４は、図２に示されているように、複数の固定ユニット４１を有しており、そして各固定ユニット４１は図１１に示されているように、それぞれ屋根において横方向に延伸する桁５１に固定されることができる固定部４１１と、固定部４１１から上方へ突起すると共に、前記横方向と平行するように延伸する延伸壁４１２と、延伸壁４１２の一側面から突起し、フレームユニット２が有する第１のフレーム枠２１の下面に当接して支持することができる保持板４１３と、延伸壁４１２の前記一側面から突起しながら保持板４１３の上方に位置し、且つ保持板４１３が第１のフレーム枠２１の下面に当接して該第１のフレーム枠２１を支持する際、該第１のフレーム枠２１に形成された取付け溝２１２に挿し込まれることができる挿入板４１４と、を有するように形成されている。
【００２８】
更に、固定手段４は、各固定ユニット４１にそれぞれ対応する固定ボルト４２を有し、各固定ボルト４２は、対応の固定ユニット４１が有する固定部４１１と保持板４１３と挿入板４１４及び該固定ユニット４１の保持板４１３が保持する第１のフレーム枠２１を上から挿通してから該固定ユニット４１の固定部４１１が固定されている桁５１にねじ込まれることにより、固定手段４１及びフレームユニット２を屋根に固定することができる。そして無論、各固定ユニット４１の各部及び第１のフレーム枠２１には、固定ボルト４２に対応して固定ボルト４２により挿通される挿通孔が形成されている。
【００２９】
この構成により、本考案のソーラーモジュール装置は、防水手段３が有する第１の防水ストリップ３１で水が各フレームユニット２間にある隙間に侵入することを阻止することができると共に、ソーラーパネルユニット１を保持する各保持溝（第１の保持溝２１１、第２の保持溝２２１、第３の保持溝２３１、第４の保持溝２４１）内に配置される第２の防水ストリップ３２で水がソーラーパネルユニット１とフレームユニット２との間にある隙間に侵入することを阻止することができるので優れた防水機能を有し、且つ第１のフレーム枠２１に形成される取付け溝２１２と、第４のフレーム枠２４に形成される取付け突起２４２とによる縦方向での連結と、第２のフレーム枠２２に形成される第１のドッキング部２２２と第３のフレーム枠２３に形成される第２のドッキング部２３２とによる横方向での連結とが可能であるので、各種の屋根に合わせて設置されることもできる。
【００３０】
続いて、図１２〜図１４を用いて本考案のソーラーモジュール装置の第２の好ましい実施形態について説明する。本考案のソーラーモジュール装置の第２の好ましい実施形態は第１の好ましい実施形態と類似する構成になっているので、以下ではその相違点について詳しく説明する。図１２は本考案のソーラーモジュール装置の第２の実施形態が備えたフレームユニットの構成が示されている斜視図であり、図１３はその第２の実施形態において２つのフレームユニット２それぞれの第１のドッキング部２２２及び第２のドッキング部２３２が互いにドッキングしながら、該２つのフレームユニット２にそれぞれ形成された取付け溝２１２内に、同一のフレームユニット２に形成された２つの取付け突起２４２が挿し込まれている様子が示されている一部拡大斜視図であり、図１４は複数の本考案のソーラーモジュール装置の第２の実施形態が屋根において互いに組み合わされている様子が示されている上面図である。
【００３１】
まずは図１２に示されているように、この第２の好ましい実施形態において、フレームユニット２における第４のフレーム枠２４には、第４のフレーム枠２４の延伸方向（図１２における右下‐左上方向）において互いに所定の間隔Ｌを空けている２つの取付け突起２４２が形成されている。そして該２つの取付け突起２４２の間にある間隔Ｌの幅は、互いにドッキングする第１のドッキング部２２２及び第２のドッキング部２３２が合わされた幅より広く形成されている。
【００３２】
この第２の好ましい実施形態では互いに間隔Ｌを空けている２つの取付け突起２４２が形成されていることにより、図１３に示されているように、３つのソーラーモジュール装置が互いに組み合わされる際、１つのソーラーモジュール装置のフレームユニット２における第４のフレーム枠２４に形成された２つの取付け突起２４２がそれぞれ１つの他の１つのソーラーモジュール装置が備えたフレームユニット２における第１のフレーム枠２１にそれぞれ形成された取付け溝２１２に挿し込まれることによって、該第４のフレーム枠２４を２つのフレームユニット２それぞれの第１のフレーム枠２１と連結することができる。一方、該２つの取付け突起２４２にそれぞれ対応する２つの取付け溝２１２がそれぞれ属している２つのフレームユニット２は、それぞれが有している第１のドッキング部２２２と第２のドッキング部２３２とで互いにドッキングしており、そして互いにドッキングしている該当の第１のドッキング部２２２と第２のドッキング部２３２は、該２つの取付け突起２４の間にある間隔Ｌに配置されている。
【００３３】
即ち、第１のフレーム枠２１に形成される取付け溝２１２の両端において第１のドッキング部２２２または第２のドッキング部２３２に接する端部には、第２のフレーム枠２２または第３のフレーム枠２３の一部である壁２００があるので、取付け溝２１２に挿し込めるように形成された取付け突起２４２が壁２００に当接すると取付け溝２１２に挿し込むことができない。一方、この実施形態では第４のフレーム枠２４に互いに間隔Ｌを空けている２つの取付け突起２４２が形成されているため、該間隔Ｌで互いにドッキングする第１のドッキング部２２２と第２のドッキング部２３２とを収容することができるスペースを作り出すので、１つのフレームユニット２が有する第４のフレーム枠２４で互いに横方向に連結されている２つのフレームユニット２がそれぞれ有する第１のフレーム枠２１と縦方向で連結することができ、結果的に図１４に示されているように、複数のソーラーモジュール装置を千鳥配列で組み合わせることができる。
【００３４】
以上、本考案の好ましい実施形態を説明したが、本考案はこれに限定されるものではなく、その要旨を逸脱しない範囲で種々変更可能である。
【産業上の利用可能性】
【００３５】
本考案に係るソーラーモジュール装置は、防水機能に優れ、且つ地域や文化によって異なる各種の屋根に合わせて設置されることができる。
【符号の説明】
【００３６】
１  ソーラーパネルユニット
２  フレームユニット
２００  壁
２１  第１のフレーム枠
２１１  第１の保持溝
２１２  取付け溝
２２  第２のフレーム枠
２２１  第２の保持溝
２２２  第１のドッキング部
２２３  受け入れ溝
２２４  排水溝
２３  第３のフレーム枠
２３１  第３の保持溝
２３２  第２のドッキング部
２３３  ドッキング突起
２４  第４のフレーム枠
２４１  第４の保持溝
２４２  取付け突起
３  防水手段
３１  第１の防水ストリップ
３１１  ストリップ本体
３１２  湾曲部
３１３  突起部
３２  第２の防水ストリップ
４  固定手段
４１  固定ユニット
４１１  固定部
４１２  延伸壁
４１３  保持板
４１４  挿入板
４２  固定ボルト
５  屋根
５１  桁
８  強化材
【図１】
0003198955.tif 000003
【図２】
0003198955.tif 000004
【図３】
0003198955.tif 000005
【図４】
0003198955.tif 000006
【図５】
0003198955.tif 000007
【図６】
0003198955.tif 000008
【図７】
0003198955.tif 000009
【図８】
0003198955.tif 000010
【図９】
0003198955.tif 000011
【図１０】
0003198955.tif 000012
【図１１】
0003198955.tif 000013
【図１２】
0003198955.tif 000014
【図１３】
0003198955.tif 000015
【図１４】
0003198955.tif 000016